(57)【要約】      （修正有）【課題】明るい店内等でも顧客が積極的に広告情報を取得できるバーコード画像を提供できる電子広告システムを提供する。【解決手段】広告情報サーバー２から送信された画像情報が、画像情報照射手段４を介して光情報として照射され、透明基板と、該透明基板の背面で点接合した光透過部材とを備えた受像手段５を透過する光情報と、前記透明基板と光透過部材との間隙に充填された遮光部材とによって、受像手段の正面部に明瞭なバーコード画面を形成し、明るい店内等においてもバーコード情報１９を提供可能な電子広告システム。【選択図】図１
2012088371.tif 000002
【特許請求の範囲】
【請求項１】
広告情報サーバーから受信した画像情報を光情報として照射可能な画像照射手段と、
前記画像照射手段と離隔した位置に設置され、画像照射装置から照射された画像情報を受像する受像手段とを備え、
前記受像手段は、
薄膜状の透明基板と、
当該透明基板の背面の接合部で点接合すると共に、当該透明基板の背面に多数配列されて光透過層を形成する光透過部材と、
当該透過部材と透明基板とによって囲まれた隙間空間に充填された遮光部材とからなり、
前記画像照射手段から受像手段の背面部に照射された光情報に含まれるバーコード情報が、前記光透過層及び接合部を介して、受像手段の正面部に区分されたバーコード画像表示部にバーコード画像として提供される
ことを特徴とする電子広告システム。
【請求項２】
前記受像手段の正面部が、マネキン画像表示部及び広告画像表示部のうち少なくともいずれか一方を備えると共に、前記バーコード画像表示部を備えて構成されており、マネキン画像表示部及び広告画像表示部のうち少なくともいずれか一方がバーコード画像表示部に隣接して形成されてなる
ことを特徴とする請求項１に記載の電子広告システム。
【請求項３】
前記バーコード画像表示部に表示されたバーコード画像を、情報表示部を備えた携帯情報端末装置に付属された撮像手段を用いて撮像することによって、携帯情報端末内にバーコード情報が取得されると共に、前記情報表示部にバーコード情報の内容が表示される
ことを特徴とする請求項１又は２に記載の電子広告システム。
【発明の詳細な説明】
【技術分野】
【０００１】
本発明は、バーコード画像による情報提供を目的とする電子広告システムに関する。
【背景技術】
【０００２】
近年、液晶ディスプレイ等の据え置き型ディスプレイを店頭又は公共施設等に設置し、一体型ディスプレイに商品広告を映像化して表示して顧客の購買意欲を惹き付ける広告システムが用いられている。
【０００３】
一方、プロジェクターから照射された画像情報をスクリーンに投影することによって商品広告を映像化して表示して、据え置き型ディスプレイと同様に顧客の購買意欲を惹き付ける広告システムも利用されている。
【先行技術文献】
【特許文献】
【０００４】
【特許文献１】特開２００２−２４４６０８
【発明の概要】
【発明が解決しようとする課題】
【０００５】
しかし、据え置き型ディスプレイは、設置コストや設置場所が必要になるためにディスプレイの大型化が難しく、複数の広告情報を同時に提供することが困難であった。
【０００６】
また、上記先行技術文献に記載された発明は、予めシステムを利用する顧客の購買データベースを作成しておく必要があることから、煩雑な広告システムへの登録が必要であるほか、顧客から積極的に広告情報を取得することはできない。
【０００７】
さらに、プロジェクターから照射された画像情報は大型のスクリーンに投影することが容易であり、据え置き型ディスプレイに比べて設置が容易であるが、明色のスクリーンに投影されるため、店内等周囲が明るい環境下では液晶ディスプレイなどの据え置き型ディスプレイに比べて映像のコントラストが低くなる。従って、大画面スクリーンに投影された映像を多数の顧客に受動的に視聴させることによって行なう広告には使用することはできるが、顧客が積極的に読み取る必要のある細かな情報を提供することが困難であった。
【課題を解決するための手段】
【０００８】
そこで上記課題を解決するために本特許出願に係る電子広告システムは、広告情報サーバーから受信した画像情報を光情報として照射可能な画像照射手段と、前記画像照射手段と離隔した位置に設置され、画像照射装置から照射された画像情報を受像する受像手段とを備え、前記受像手段は、薄膜状の透明基板と、当該透明基板の背面の接合部で点接合すると共に、当該透明基板の背面に多数配列されて光透過層を形成する光透過部材と、当該透過部材と透明基板とによって囲まれた隙間空間に充填された遮光部材とからなり、前記画像照射手段から受像手段の背面部に照射された光情報に含まれるバーコード情報が、前記光透過層及び接合部を介して、受像手段の正面部に配置されたバーコード画像表示部にバーコード画像として提供されることを特徴とする。
【０００９】
画像照射手段は、広告情報サーバーから広告に関する画像情報を受信し、光情報に変換して画像照射手段が備える光源から照射する画像情報を照射することができるものである。画像照射手段に用いることができるものとして、例えばプロジェクターを挙げることができる。
【００１０】
広告情報サーバーは、画像照射手段とは遠隔の場所にあってもよく、インターネット等のネットワーク通信を介して画像照射手段に広告に関する画像情報を送信するものである。また、広告情報サーバーには複数の画像照射手段が接続されても好ましく、この場合、それぞれの画像照射手段が設置されている場所や店舗等に合致した広告内容の画像情報が広告情報サーバーからそれぞれの画像照射手段に対して送信されることとしても好ましい。画像情報には、広告主の店舗情報や特典情報を取得できるバーコード情報が含まれており、また、バーコード情報と共に広告画像から構成される広告画像情報が含まれても好ましい。
【００１１】
画像照射手段から照射された画像情報は、画像照射手段から離隔した位置に設置された受像手段に投影される。受像手段は、薄膜状の透明基板と光透過部材を有するフィルム状のスクリーンであり、透明基板の正面部をガラス窓又は透明アクリル板等の透明板体に貼り付けて設置することが好ましい。また、受像手段はフィルム状であるため自由な形状に成形することができ、予め照射する画像に合わせて成形しておくことで、液晶ディスプレイ等の据え置き型ディスプレイでは困難であった自由形状のディスプレイとして用いることができる。
【００１２】
また、受像手段を構成する光透過部材は透明基板と点接合することにより透明基板に固定されている。従って、光透過部材としては球形状もしくは凸レンズ形状であることが好ましい。これにより、受像手段の背面方向から光情報となって入射する画像情報を透明基板との接合部に集光させることができると共に、接合部を通して画像情報を効率よく透明基板の正面方向に透過させることができる。ここで、光透過部材はガラス、又は透明樹脂からなるものであることが好ましい。
【００１３】
また、光透過部材は透明基板の背面全体に多数配列されることによって光透過層を形成し、画像情報を受像手段の背面図全体で受光することができる。
【００１４】
さらに、光透過部材は透明基板と点接合しているため、隣り合う光透過部材同士と透明基板との間には隙間空間を有する。受像手段は当該隙間空間に遮光性の樹脂等からなる遮光部材が充填されてなる。遮光部材は黒色であることが好ましい。これにより光情報が照射されていない状態の受像手段は、遮光部材の色を呈する。当該遮光部材により、昼間の野外若しくは店内等の周囲が明るい環境下においても、受像手段の背面方向にある風景が受像手段上に写り込むことがなく画像情報によって形成された画像のコントラストの低下を防ぐことができる。
【００１５】
さらにまた、画像の黒色を表現すべき部分には、光情報が照射されないことにより遮光部材そのものの色が当該部分を表現することができる。したがって、特に黒い遮光部材を用いることで従来の明色のスクリーンを用いる従来技術に比べて高いコントラストが必要な画像情報を受像手段の正面部に表現することができる。
【００１６】
本発明は、前述したように、前記画像情報にバーコード情報を含み、当該バーコード情報が受像手段の正面部においてバーコード画像を形成する。ここでバーコード画像は明部と暗部とからなる縞模様状の線の太さによって特定の情報を含んだものであることが好ましく、また、明部と暗部とからなるドットの二次元配列が特定の情報を含んだ二次元バーコードを形成するものであっても好ましい。このようなバーコード画像は顧客がバーコード画像そのものを見ても情報を読み取ることはできないが、携帯情報端末装置などに付属しているカメラ等によってバーコード画像を撮像することによってバーコード情報を読み取ることができるものである。このとき、バーコード画像を構成する明部と暗部とのコントラストが、それぞれ受像手段を透過する光情報と遮光部材とによって形成されることによって明瞭に表示されるため、バーコード画像のカメラ等による高い読み取り精度を実現することができる。
【００１７】
また、前記受像手段の正面部が、マネキン画像表示部及び広告画像表示部のうち少なくともいずれか一方を備えると共に、前記バーコード画像表示部を備えて構成されており、マネキン画像表示部及び広告画像表示部のうち少なくともいずれか一方がバーコード画像表示部に隣接して形成されていることが好ましい。
【００１８】
マネキン画像表示部にはタレント若しくはコンパニオン等の人物、又は動物若しくはアニメキャラクター等からなるマネキン画像を表示することが好ましく、マネキン画像表示部に表示される画像は静止画若しくは動画を用いることができる。マネキン画像表示部を用いることで遠方からでも受像手段の存在を認識することができ、顧客吸引力を発揮することができる。また、受像手段は前述したようにフィルム状のスクリーンであり、透明基板の正面部をガラス窓又は透明アクリル板等の透明板体に貼り付けて設置することできる。従って、受像手段をマネキン画像表示部、広告画像表示部、及び前記バーコード画像表示部を含んだ形状に沿って切り取り、前記透明板体に貼り付けて使用することであたかもマネキン画像表示部に表示された人物等がその場所に存在するかのような視覚効果を発揮し、大きな顧客吸引力を発揮することができる。
【００１９】
従って、マネキン画像表示部は広告画像表示部及びバーコード画像表示部がある程度小さい場合にも、バーコード画像が表示されているバーコード画像表示部の直近にまで顧客を近づけさせることができる。
【００２０】
広告画像表示部は、商品広告若しくは企業アピールを行なう広告画像が表示され、静止画若しくは動画を用いることができる。広告画像が表示されることによって、顧客に商品の購買意欲を増大させると共に、バーコード画像表示部に表示されたバーコード画像からバーコード情報を取得すれば特典や店舗までの案内情報等を顧客が所持する携帯情報端末装置に取得できることを案内することができる。
【００２１】
そして、前記バーコード画像表示部に表示されたバーコード画像は、情報表示部を備えた携帯情報端末装置に付属された撮像手段を用いて撮像することによって、携帯情報端末内にバーコード情報が取得されると共に、前記情報表示部にバーコード情報の内容が表示されても好ましい。
【００２２】
バーコード情報の内容は携帯情報端末装置の内部記憶装置に保存することができるため、受像手段から離れた場所でもバーコード情報の内容を情報表示部に表示させて、利用することができる。
【発明の効果】
【００２３】
本発明によれば、昼間の野外若しくは店内等の周囲が明るい環境下においても、受像手段の正面部上に明瞭なバーコード画像を形成することができる。これにより、携帯情報端末装置に付属する撮像手段を用いるなどして容易にバーコード情報を取得することができる。
【００２４】
さらに、本願に係る電子広告システムの設置は簡単であると共に大画面へのバーコード画像の形成が可能であるため、マネキン画像又は広告画像と共にバーコード画像を形成することができ、また複数のバーコード情報を一画面上において同時に提供することもできる。
【図面の簡単な説明】
【００２５】
【図１】電子広告システム１の概略を示すブロック図である。
【図２】受像手段５の断面構造を示す図である。
【図３】受像手段５をバーコード情報Ａ５が透過する様子を縦断面方向から示した図（ａ）、及び受像手段５の正面部５ａに表示されたバーコード画像１９を示した図（ｂ）である。
【発明を実施するための形態】
【００２６】
以下、本発明の実施例について図を参照しながら詳しく説明する。
【００２７】
図１は、本実施例の電子広告システム１の概略を示すブロック図である。電子広告システム１は、広告主の画像情報Ａ１を保存している広告情報サーバー２、画像情報Ａ１を伝達するネットワーク回線Ｌ１、画像情報Ａ１を中継する中継装置３、中継装置３から回線Ｌ２を介して画像情報Ａ１を受信し、光情報Ａ２に変換して照射する画像照射手段４、及び光情報Ａ２に変換された画像情報Ａ１を受光し、画像を映し出す受像手段５とから構成される。受像手段５は、二点鎖線に添った形状に切り取られて形成されている。
【００２８】
画像照射手段４は、広告情報サーバー２から広告に関する画像情報Ａ１を受信し、光情報Ａ２に情報変換部４ａを介して光源４ａから光情報Ａ２を照射することができる。
【００２９】
受像手段５は、図２に示すようにポリ塩化ビニル製の透明基板６及び透明基板６の背面に点接合すると共に、多数配列されているガラス球状の光透過部材７を備えている。光透過部材７と透明基板６とは接合部８で点接合しており、これにより透明基板６と光透過部材７との間には間隙９が形成されている。そして、当該間隙９には黒色のポリ塩化ビニル樹脂を含んだ樹脂からなる遮光部材１０が充填されている。光透過部材７は、二次元的に密に配列されて透明基板６の背面全体を覆っており、当該配列が光透過層１１を形成している。
【００３０】
受像手段５の正面部５ａには、図２に示すようにマネキン画像表示部１４、広告画像表示部１５、及びバーコード画像表示部１６が形成されており、画像照射手段４から照射された光情報Ａ２を受けてそれぞれの表示部にマネキン画像１７、広告画像１８、及びバーコード画像１９が表示される。なお、広告画像表示部１５には、図２に示すように広告画像１８だけでなく広告文字２０が表示されても好ましい。また、バーコード画像表示部１６には、バーコード画像１９だけでなくバーコード画像１９に顧客を誘導する誘導文字２１が添えられて表示されていても好ましい。
【００３１】
また、透明基板６の正面には透明な粘着層１２が形成されており、当該粘着層１２によって、受像手段５はガラス窓１３に貼り付けられている。このため、正面部５ａに表示されたバーコード画像１９等をガラス窓１３越しに視認することができる。
【００３２】
次に、電子広告システム１の動作について説明する。
【００３３】
広告情報サーバー２に保存されている画像情報Ａ１には、受像手段６が設置されている場所に対応したマネキン画像情報Ａ３、広告画像情報Ａ４、及びバーコード情報Ａ５が含まれている。
【００３４】
広告情報サーバー２から送信された画像情報Ａ１は、ネットワーク回線Ｌ１を介して中継装置３に到達し、中継装置３から回線Ｌ２を介して画像照射装置４へ送られる。画像情報Ａ１を受信した画像照射装置４は情報変換部４ａを介して光源４ｂから光情報Ａ２を照射する。
【００３５】
このとき、画像情報Ａ１に含まれるバーコード情報Ａ５も光情報Ａ２によって照射され、受像手段５の正面部５ａ上にはバーコード画像１９が形成される。図３（ａ）は、受像手段５をバーコード情報Ａ５が透過する様子を縦断面方向から示した図であり、さらに、図３（ｂ）には受像手段５の正面部５ａに表示されたバーコード画像１９の一つを示している。図３（ａ）において受像手段５を透過するバーコード情報Ａ５と図３（ｂ）に記載されたバーコード画像１９の左端部とが対応して示されている。バーコード画像１９は明部１９ａと暗部１９ｂとからなる。明部１９ａは、光源４ｂから照射された光が受像手段５を透過することによって受像手段５の正面部５ａ上に明るい部分として現れる。一方、暗部１９ｂに対応する受像手段５の部分には、光源４ｂから光が照射されないので、遮光部材１０によって明瞭に黒く現れる。
【００３６】
明色のスクリーンに画像を投影する従来技術では、明るい部分が光の反射により暗い部分よりも相対的に明るく見えるのみであり、特に明るい店内等では画像の明暗のコントラストが弱く、バーコード画像のように明瞭な明部と暗部のコントラストから情報を読み取る必要があるものを使って広告システムに用いることは困難であった。
【００３７】
一方、本発明に係る電子広告システム１では、広告情報サーバー２から送信され、受像手段５に形成されたバーコード画像１９を、明るい店内等であっても顧客が所有する携帯情報端末装置２２に備えられたカメラ２３を用いて撮像し、バーコード情報Ａ５を容易に取得することができる。
【００３８】
なお、広告情報サーバー２はネットワーク回線Ｌ１を介して離れた場所に設置された複数の画像照射装置４と同時に接続されていてもよく、それぞれの場所に適した異なる内容の画像情報Ａ１を送信することができる。
【００３９】
また、受像手段５にはバーコード画像１９以外にもマネキン画像１７が表示されており、受像手段５から遠く離れた顧客であってもマネキン画像１７を確認して引き寄せることができる。
【００４０】
本実施例では、受像手段５が、図１に示す二点鎖線の領域が一点鎖線で三つの区分に区分けされており、それぞれマネキン画像表示部１４、広告画像表示部１５、及び前記バーコード画像表示部１６を構成する。受像手段５を前記ガラス窓１３に貼り付けて使用することで、あたかもマネキン画像表示部１４に表示されたマネキン画像１７がその場所に存在するかのような視覚効果を発揮し、大きな顧客吸引力を発揮することができる。
【００４１】
また、マネキン画像１７によって受像手段５の近くまで引き寄せられた顧客に、広告画像１８が広告主の商品や店舗に興味を持たせることができる。
【００４２】
さらに、マネキン画像表示部１４が広告画像表示部１５に隣接して形成されてなることにより、マネキン画像１７による顧客の受像部５までの引き寄せに続いて広告画像１８による商品の購買意欲を生じさせた後、バーコード画像１９による特典情報を顧客に取得させるという一連の行動を効果的に引き起こすことができるものである。また、広告文字２０によって広告画像１８による商品等広告の補填をすることができる。
【００４３】
ここで、バーコード画像１９は、バーコード画像表示部１６中に複数表示されていても好ましい。この場合、複数種類の特典を各バーコード画像１９の中から選択できるようにしてもよく、また、広告画像１８が経過時間によって複数の商品を宣伝し、複数のバーコード画像１９はそれぞれの商品に関する特典対応して選択することができるようにしても好ましい。このとき、バーコード画像１９の近傍に誘導文字２１を表示することによってバーコード画像１９から取得できる特典情報の内容を簡単に説明することで、顧客に選択を容易に行なわせることができる。
【００４４】
バーコード画像１９から情報を取得した顧客は、バーコード情報Ａ５の内容を携帯情報端末装置２２内に保存することができ、受像手段５から離れた場所でもバーコード情報Ａ５の内容を画面２４に表示させて、利用することができる。
【符号の説明】
【００４５】
１    電子広告システム
２    広告情報サーバー
４    画像照射手段
５    受像手段
６    透明基板
７    光透過部材
８    接合部
１０  遮光部材
１１  光透過層
１９  バーコード画像
Ａ１  画像情報
Ａ５  バーコード情報
【図１】
2012088371.tif 000003
【図２】
2012088371.tif 000004
【図３】
2012088371.tif 000005